(57)【要約】【課題】  記録シートの位置ずれを防止すること。【解決手段】  記録シート（Ｓ）を給紙する給紙実行位置と、記録シートの給紙を実行しない給紙待機位置との間で移動可能な取出ロール（４１）と、取出ロール（４１）が給紙待機位置に保持された状態で給紙トレイ（１）に収容された記録シートの前端を位置決めするシート前端位置決め部材（３８）と、取出ロール（４１）が給紙待機位置に保持された状態でシート前端位置決め部材（３８）を係止するストッパ（３６）と、取出ロール（４１）が給紙実行位置に移動して記録シート（Ｓ）を押圧した状態で、ストッパ（３６）とシート前端位置決め部材（３８）との係合を解除して、給紙される記録シート（Ｓ）の移動に応じてシート前端位置決め部材（３８）を移動可能にするストッパ係合解除部材とを有するシート搬送装置（ＴＲ０）。【選択図】  図２
2006027798.tif 000002
【特許請求の範囲】
【請求項１】
下記の構成要件（Ａ01）〜（Ａ04）を備えたことを特徴とするシート搬送装置、
（Ａ01）給紙トレイに収容された記録シートを給紙する給紙実行位置と、前記記録シートの給紙を実行しない給紙待機位置との間で移動可能な取出ロール、
（Ａ02）前記取出ロールが前記給紙待機位置に保持された状態で前記給紙トレイに収容された記録シートの前端を位置決めするシート前端位置決め部材、
（Ａ03）前記取出ロールが前記給紙待機位置に保持された状態で前記シート前端位置決め部材を係止するストッパ、
（Ａ04）前記取出ロールが前記給紙実行位置に移動して記録シートを押圧した状態で、前記ストッパと前記シート前端位置決め部材との係合を解除して、給紙される記録シートの移動に応じて前記シート前端位置決め部材を移動可能にするストッパ係合解除部材。
【請求項２】
下記の構成要件（Ａ05）を備えたことを特徴とする請求項１記載のシート搬送装置、
（Ａ05）給紙が実行されない待機時は前記取出ロールを前記給紙待機位置に保持するリンク機構と、
前記リンク機構に連結されたソレノイドであって、給紙を実行する場合に前記リンク機構を作動させて前記取出ロールを前記給紙実行位置に移動させると共に、前記給紙実行位置移動後に前記ストッパと前記シート前端位置決め部材との係合を解除する前記ソレノイドと、
を有する前記ストッパ係合解除部材。
【請求項３】
請求項１または２記載のシート搬送装置を備えたことを特徴とする画像形成装置。
【発明の詳細な説明】
【技術分野】
【０００１】
本発明は、給紙トレイに収容された記録シートを給紙するシート搬送装置及び前記シート搬送装置を備えた画像形成装置に関し、特に、記録シートの前端を位置決めするシート前端位置決め部材を有するシート搬送装置及び前記シート搬送装置を備えた画像形成装置に関する。
【背景技術】
【０００２】
ＦＡＸ、プリンタ、複写機等の従来の画像形成装置において、原稿給紙装置や手差し給紙装置等のユーザが手動で記録シートをセットするシート搬送装置では、シート前端位置決め部材によりセットされた記録シートの束の前端を位置決めしている。
前記シート前端位置決め部材を有するシート搬送装置として、以下の従来技術（Ｊ01），（Ｊ02）が公知である。
【０００３】
（Ｊ01）特許文献１（実公平７−３８２８３号公報）記載の技術
特許文献１には、給送ローラ（４、取出ロール）のシャフト（５）に揺動自在に装着された用紙先端位置決め部材（３）を有するシート搬送装置において、給送ローラ（４）が上方に保持される給紙待機位置（特許文献１の図１に示す位置）では、ストッパ（６）により用紙先端位置決め部材（３）の揺動が規制され、給送ローラ（４）が下降を開始すると、先ず、ストッパ（６）と用紙先端位置決め部材（３）の係合が解除されて揺動自在になり、その後、給送ローラ（４）が用紙（２）の表面に接触して給紙を実行する技術が記載されている。
【０００４】
（Ｊ02）特許文献２（特開平７−３１５５８７号公報）記載の技術
特許文献２には、原稿給紙時に、押さえレバー（２）及び原稿ストッパ（４、シート前端位置決め部材）が固定された共通回転軸（５３）をソレノイド（４４）により回転させて、原稿ストッパ（４）を原稿の搬送を妨げない位置に移動させながら、押さえレバー（２）を下降させて原稿束の最上面に当接させて、呼び出しコロ（１、取出ロール）と押さえレバー（２）とで原稿束を挟持する技術が記載されている。
【０００５】
【特許文献１】実公平７−３８２８３号公報（第２頁右欄第１６行〜第３頁右欄第４８行、第１図、第２図）
【特許文献２】特開平７−３１５５８７号公報（「００１６」〜「００１９」、第２図〜第７図）
【発明の開示】
【発明が解決しようとする課題】
【０００６】
（従来技術の問題点）
前記従来技術（Ｊ01）では、取出ロール（給送ローラ（４））が記録シートに接触する前に、シート前端位置決め部材とストッパとの係合が解除され、シート前端位置決め部材が揺動自在になっている。したがって、記録シートの前端が下方に傾斜した状態で収容されている給紙トレイで使用した場合、シート前端位置決め部材が揺動自在になった後、取出ロールが記録シートに接触するまでの間に記録シートが位置決めされた位置からずれてしまうことがある。
前記従来技術（Ｊ02）では、シート前端位置決め部材の移動開始と押さえレバーの移動開始が同時であるため、前記従来技術（Ｊ01）と同様に、シート前端位置決め部材が移動を開始してから押さえレバーが記録シート（原稿）を押圧するまでの間に記録シートがずれてしまうことがあるという問題がある。
【０００７】
本発明は、前述の事情に鑑み、次の記載内容（Ｏ01）を技術的課題とする。
（Ｏ01）記録シートの位置ずれを防止すること。
【課題を解決するための手段】
【０００８】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００９】
（第１発明）
前記技術的課題を解決するために、第１発明のシート搬送装置は、    下記の構成要件（Ａ01）〜（Ａ04）を備えたことを特徴とする。
（Ａ01）給紙トレイ（１）に収容された記録シート（Ｓ）を給紙する給紙実行位置と、前記記録シートの給紙を実行しない給紙待機位置との間で移動可能な取出ロール（４１）、
（Ａ02）前記取出ロール（４１）が前記給紙待機位置に保持された状態で前記給紙トレイ（１）に収容された記録シートの前端を位置決めするシート前端位置決め部材（３８）、
（Ａ03）前記取出ロール（４１）が前記給紙待機位置に保持された状態で前記シート前端位置決め部材（３８）を係止するストッパ（３６）、
（Ａ04）前記取出ロール（４１）が前記給紙実行位置に移動して記録シート（Ｓ）を押圧した状態で、前記ストッパ（３６）と前記シート前端位置決め部材（３８）との係合を解除して、給紙される記録シート（Ｓ）の移動に応じて前記シート前端位置決め部材（３８）を移動可能にするストッパ係合解除部材（１０＋１７）。
【００１０】
（第１発明の作用）
前記構成要件（Ａ01）〜（Ａ04）を備えた第１発明のシート搬送装置では、取出ロール（４１）は、給紙実行位置において給紙トレイ（１）に収容された記録シート（Ｓ）を給紙する。前記取出ロール（４１）が前記給紙待機位置に保持された状態で、シート前端位置決め部材（３８）は前記給紙トレイ（１）に収容された記録シートの前端を位置決めする。ストッパ（３６）は、前記取出ロール（４１）が前記給紙待機位置に保持された状態で前記シート前端位置決め部材（３８）を係止する。
【００１１】
ストッパ係合解除部材（１０＋１７）は、前記取出ロール（４１）が前記給紙実行位置に移動して記録シート（Ｓ）を押圧した状態で、前記ストッパ（３６）と前記シート前端位置決め部材（３８）との係合を解除して、給紙される記録シート（Ｓ）の移動に応じて前記シート前端位置決め部材（３８）を移動可能にする。
したがって、第１発明のシート搬送装置は、前記取出ロール（４１）が記録シート（Ｓ）を押圧した状態で、ストッパ（３６）とシート前端位置決め部材（３８）との係合が解除されるので、記録シート（Ｓ）の位置ずれを防止することができる。
【００１２】
（第１発明の形態１）
第１発明の形態１のシート搬送装置は、前記第１発明において、下記の構成要件（Ａ05）を備えたことを特徴とする。
（Ａ05）前記ストッパ（３６）に係合可能なストッパ係合部（９ｅ）を有し、給紙が実行されない待機時は前記取出ロール（４１）を前記給紙待機位置に保持するリンク機構（１７）と、
前記リンク機構（１７）に連結されたソレノイド（１０）であって、給紙を実行する場合に前記リンク機構（１７）を作動させて前記取出ロール（４１）を前記給紙実行位置に移動させると共に、前記ストッパ係合部（９ｅ）を前記ストッパ（３６）に係合させて、前記給紙実行位置移動後に前記ストッパ（３６）と前記シート前端位置決め部材（３８）との係合を解除する前記ソレノイド（１０）と、
を有する前記ストッパ係合解除部材（１０＋１７）。
【００１３】
（第１発明の形態１の作用）
前記構成要件（Ａ05）を備えた第１発明の形態１のシート搬送装置では、ストッパ係合解除部材（１０＋１７）のリンク機構（１７）は、給紙が実行されない待機時は前記取出ロール（４１）を前記給紙待機位置に保持する。前記リンク機構（１７）に連結されたソレノイド（１０）は、給紙を実行する場合に前記リンク機構（１７）を作動させて前記取出ロール（４１）を前記給紙実行位置に移動させると共に、前記給紙実行位置移動後に前記ストッパ（３６）と前記シート前端位置決め部材（３８）との係合を解除する。
【００１４】
（第２発明）
前記技術的課題を解決するために第２発明の画像形成装置は、前記第１発明または第１発明の形態１のシート搬送装置（ＴＲ０）を備えたことを特徴とする。
（第２発明の作用）
前記構成要件を備えた第２発明の画像形成装置は、第１発明または第１発明の形態１のシート搬送装置（ＴＲ０）を備えているので、記録シート（Ｓ）の位置ずれを防止できる。
【発明の効果】
【００１５】
前述の本発明は、下記の効果（Ｅ01）を奏する。
（Ｅ01）記録シートの位置ずれを防止することができる。
【発明を実施するための最良の形態】
【００１６】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１７】
図１は本発明の実施例の画像形成装置の全体説明図である。
図１において、実施例の画像形成装置（デジタル複写機）Ｕは、画像形成装置本体Ｕ１、自動原稿搬送装置Ｕ２を有している。前記画像形成装置本体Ｕ１は、ＩＯＴ（イメージアウトプットターミナル）、ＩＩＴ（イメージインプットターミナル、すなわち画像読取部）を有している。
前記自動原稿搬送装置Ｕ２は、ＩＩＴ上面のプラテンガラスＰＧ上に支持されている。
前記ＩＯＴ上面には上方のＩＩＴとの間にシート排出トレイＴＲｈが設けられている。
【００１８】
図１において、前記自動原稿搬送装置Ｕ２は、複写しようとする複数の原稿Ｇｉが重ねて載置される原稿給紙トレイＴＧ１を有している。前記原稿給紙トレイＴＧ１に載置された複数の各原稿Ｇｉは順次プラテンガラスＰＧ上の複写位置を通過して原稿排紙トレイＴＧ２に排出されるように構成されている。前記自動原稿搬送装置Ｕ２は、その後端部（−Ｘ端部）に設けた左右方向に延びるヒンジ軸（図示せず）により前記プラテンガラスＰＧ上面に対して回動可能であり、原稿Ｇｉを作業者が手でプラテンガラスＰＧ上に置く場合に上方に回動される。
前記画像形成装置本体Ｕ１は、ユーザがコピースタート等の作動指令信号を入力操作するＵＩ（ユーザインタフェース）を有している。
【００１９】
前記透明なプラテンガラスＰＧの下方には原稿画像を読み取るための露光光学系Ａが配置されている。
前記自動原稿搬送装置Ｕ２でプラテンガラスＰＧ上面に搬送される原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲＧＢの電気信号を画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザ駆動信号出力装置ＤＬと、後述の現像ロールＧａ、転写ロールＲｔにバイアス電圧を印加する電源回路Ｅ等の動作はコントローラＣにより制御される。
【００２０】
感光体ドラムにより構成される像担持体ＰＲはその軸ＰＲａと一体的に矢印方向（図１で時計方向）に回転しており、その表面は、帯電ロールＣＲにより一様に帯電された後、潜像書込位置において前記ＲＯＳ（潜像形成装置）のレーザビームＬにより露光走査されて静電潜像が形成される。
前記静電潜像が形成された像担持体ＰＲ表面は回転移動して順次、現像領域（現像ロールＧａと対向する領域）、転写領域（転写ロールＲｔと対向する領域）Ｑ１を通過する。
【００２１】
現像装置Ｇは、現像ロールＧａ、現像剤攪拌部材Ｇｂ，Ｇｃ，Ｇｄを回転可能に支持し且つ現像剤を収容する現像容器Ｖを有しており、現像領域を通過する像担持体ＰＲ上の静電潜像をトナー像に現像する。
複数の給紙トレイＴＲ１〜ＴＲ４（図１参照）は、前記転写領域Ｑ１に搬送するための記録用シートＳを収容しており、その左右両側（Ｙ軸方向両側）に前後方向（図１で紙面に垂直な方向）に沿って配置された一対のレールＲＬ１，ＲＬ１に沿って移動可能に支持されている。
【００２２】
図１において、前記各給紙トレイＴＲ１〜ＴＲ４の給紙側上部に設けられた給紙装置Ｋは、ピックアップロールＲｐと、フィードロールおよびリタードロールを有するさばきロールＲｓとそれらを回転駆動する部材（図示せず）とを有している。給紙装置ＫのピックアップロールＲｐにより取出された記録シートＳは、フィードロールＲｓ１およびリタードロールＲｓ２の圧接領域（さばき領域）で１枚ずつ分離されて、シート搬送路ＳＨに搬送される。シート搬送路ＳＨの記録シートＳは、シート搬送路ＳＨに沿って配置されたシート搬送ロール（テイクアウェイロール）ＲａによりレジロールＲｒに搬送される。レジロールＲｒ（図１参照）は、記録シートＳを前記転写領域Ｑ１に所定のタイミングで搬送する。
また、手差トレイＴＲ0から給紙された記録シートＳも、手差しシート搬送路ＳＨ５を搬送され、前記シート搬送路ＳＨに沿って配置されたシート搬送ロールＲａ、レジロールＲｒにより前記転写領域Ｑ１に搬送される。
【００２３】
図１において、前記転写領域Ｑ１には転写バイアスが印加される転写ロールＲｔが配置されている。この転写ロールＲｔは転写領域Ｑ１において前記像担持体ＰＲに圧接しており、転写領域Ｑ１を通過する記録シートＳに像担持体ＰＲ上のトナー像を転写する。
像担持体ＰＲ表面のトナー像が転写領域Ｑ１において記録シートＳに転写された後、前記像担持体ＰＲは、クリーナＣＬにより表面に付着した残留トナーが回収される。前記クリーナＣＬにより表面に付着した残留トナーが回収された像担持体ＰＲは、前記帯電ロールＣＲにより帯電される。
【００２４】
前記転写領域Ｑ１において未定着のトナー像が転写された記録シートＳは、トナー像が未定着の状態で定着領域Ｑ２に搬送され、定着領域Ｑ２に配置された定着装置Ｆの一対の定着ロールＦｈ，Ｆｐによりトナー像が定着される。定着トナー像が形成された記録シートＳは、シートガイドにガイドされて排紙ロールＲ１に搬送され、シート排出口Ｈａからシート排出トレイＴＲｈに排出される。
【００２５】
プリンタＵ内部には前記シート排出口Ｈａに接続された本体シート反転路ＳＨ３が設けられている。前記手差しトレイＴＲ０の上部には、シート反転装置Ｕ３が装着されている。前記シート反転装置Ｕ３の内部には、前記本体シート反転路ＳＨ３に接続するオプションシート反転路ＳＨ４が形成されている。したがって、両面印刷時には、前記定着領域Ｑ２でトナー像が定着されたシートＳが、前記本体シート反転路ＳＨ３、オプションシート反転路ＳＨ４を通過して、前記レジロールＲｒに搬送され、シートＳの表裏が反転した状態で前記転写領域Ｑ１に再送される。
前記本体シート反転路ＳＨ３、オプションシート反転路ＳＨ４により、シート反転路（ＳＨ３＋ＳＨ４）が構成されている。
【００２６】
（手差しトレイ）
図２は実施例１の手差しトレイの給紙装置部分の要部拡大説明図であり、取出ロールが給紙待機位置に保持された状態の説明図である。
図３は実施例１の手差しトレイの給紙装置部分を下方から見た要部拡大斜視図である。
図４は実施例１の手差しトレイの給紙装置部分を斜め上方からみた要部斜視説明図である。
図５はさばきロールやガイド部材を省略した給紙装置部分の斜視説明図である。
図６は図５の矢印ＶＩ方向から見た図である。
【００２７】
図２、図３において、本発明のシート搬送装置としての手差しトレイＴＲ０は、記録シートＳのシート搬送方向前端が下方に傾斜した状態で収容（積載）される給紙トレイ本体１を有している。図２において、給紙トレイ本体１は、記録シートＳの束が積載されるシート支持面１ａと、前記シート支持面１ａの右端部（シート搬送方向前端部）に連続し且つ上方に傾斜して形成されたシート上方ガイド面１ｂとを有する。図２、図５において、給紙トレイ本体１の右端部の前記シート支持面１ａからシート上方ガイド面１ｂにかけて、位置決め部収容口１ｃが形成されている。
【００２８】
図４において、前記給紙トレイ本体１の後端には後端壁２が形成されており、給紙トレイ本体１のシート搬送方向下流側には、給紙される記録シートＳを画像形成装置本体Ｕ１にガイドする本体ガイド部材３が配置されている。前記後端壁２には、バネ装着孔２ａが形成されている。
図２、図３において、前記給紙トレイ本体１の右端部の上方には、手差し給紙装置６が配置されている。前記手差し給紙装置６は、平板状の固定プレート７を有している。図２、図３において、固定プレート７は、下方に突出して形成された付勢バネ支持部７ａと、ねじりバネ支持部７ｂ（図３参照）とを有する。前記固定プレート７の下面には、取出ロール昇降用リンク８と、ロック解除用リンク９とが回転可能に支持されている。
【００２９】
図４〜図６において、前記取出ロール昇降用リンク８は、円筒状の回転中心８ａと、前記回転中心８ａの左方に形成されたソレノイド連結部８ｂと、回転中心８ａの右方に形成された待機位置保持用バネ装着部８ｃと、待機位置保持用バネ装着部８ｃの前方に形成されたケース押圧部８ｄとを有している。ソレノイド連結部８ｂは、取出ロール昇降用ソレノイド１０の伸縮ロッド１０ａの前端に回転可能に連結されている。前記待機位置保持用バネ装着部８ｂと後端壁２のバネ装着孔２ａとの間には、待機位置保持用バネ１１が連結されている。したがって、前記取出ロール昇降用リンク８は、前記待機位置保持用バネ１１により、回転中心８ａを中心としてケース押圧部８ｄが右方（＋Ｙ方向）に移動する方向（図６において反時計方向）に付勢されている。
【００３０】
前記ロック解除用リンク９は、円筒状の回転中心９ａと、前記回転中心９ａから取出ロール昇降用リンク８側に延びるリンク側アーム９ｂと、リンク側アーム９ｂと反対側に延びるロック解除アーム９ｃとを有している。前記リンク側アーム９ｂの先端部には円筒状の昇降用リンク係合部９ｄが形成されている。前記ロック解除アーム９ｃの先端には円筒状のストッパ係合部９ｅが形成されており、ストッパ係合部９ｅの後端面には、後述するストッパと係合するために上下方向中央部が凸湾曲した凸湾曲部９ｆが形成されている。
【００３１】
図３、図４において、前記回転中心９ａにはねじりバネ１６の中心部が巻付けられている（図３、図４以外は図示省略）。前記ねじりバネ１６の一端部は、前記ねじりバネ支持部７ｂに係止され、他端部は昇降用リンク係合部９ｄに係合している。したがって、前記ロック解除用リンク９は、前記ねじりバネ１６により、回転中心９ａを中心として昇降用リンク係合部９ｄが右方に移動する方向（図６において時計方向）に付勢されている。この結果、前記昇降用リンク係合部９ｄは、常時、取出ロール昇降用リンク８のケース押圧部８ｄの左端面に当接する。
前記取出ロール昇降用リンク８、ロック解除用リンク９、待機位置保持用バネ１１及びねじりバネ１６等によりリンク機構１７が構成されている。また、前記取出ロール昇降用ソレノイド１０及びリンク機構１７によりストッパ係合解除部材（１０＋１７）が構成されている。
【００３２】
図４において、前記後端壁２には、前方に延びるシャフト２１が回転可能に支持されており、図示しない駆動モータにより回転力が伝達される。前記シャフト２１には、取出ロール支持ケース２２が回転可能に支持されており、前記取出ロール支持ケース２２の前方には、取出ロール駆動ギアＧ１がシャフト２１に固定支持されている。また、取出ロール駆動ギアＧ１の前方にはフィードロール装着部材２３が固定支持されている。
前記フィードロール装着部材２３には、２つのローラ部２４ａ、２４ａと前記ローラ部２４ａ、２４ａの間に配置された用紙ガイド部とを有するフィードロール２４が装着されており、フィードロール２４はシャフト２１と一体的に回転可能に支持されている。前記フィードロール２４の前端部には、位置決め突出部２４ｂが設けられており、シャフト２１の先端に形成されたロール位置決め溝２１ａと係合することにより、フィードロール２４の軸方向が位置決めされている。
【００３３】
図３、図４において、前記取出ロール支持ケース２２の前端面には、搬送される記録シートＳの上面をガイドするガイド部材２２ａが支持されている。図４〜図６において、前記取出ロール支持ケース２２の上面右端後部には、前記取出ロール昇降用リンク８のケース押圧部８ｄが当接するリンク被押圧部３１が形成されている。前記リンク被押圧部３１の前方には、給紙実行位置付勢バネ装着部３２が形成されている。図２、図３において、前記給紙実行位置付勢バネ装着部３２と、固定プレート７の付勢バネ支持部７ａとの間には、給紙実行位置付勢バネ３３が装着されている（図３、図４参照）。前記給紙実行位置付勢バネ３３は、給紙実行位置付勢バネ用装着部３２を左上方（−Ｙ＋Ｚ方向）に付勢している。
前記取出ロール昇降用ソレノイド１０、リンク機構１７及び給紙実行位置付勢バネ用装着部３２等により取出ロール移動装置（１０＋１７＋３２）が構成されている。
【００３４】
図４において、前記取出ロール支持ケース２２の給紙実行位置付勢バネ用装着部３２には、複数の回転伝達ギア列Ｇ２が回転可能に支持されており、前記取出ロール駆動ギアＧ１からの回転が伝達される。前記回転伝達ギア列Ｇ２の前方には、ストッパ３６が回転中心３６ａを中心に回転可能に支持されている。前記ストッパ３６は、上方に延び且つ前記ロック解除用リンク９のストッパ係合部９ｅと係合可能な被係合部３６ｂと、左方（−Ｙ方向）に延びる位置決め部材係止部３６ｃとを有する。前記位置決め部材係止部３６ｃの先端には、係止爪３６ｄが形成されており、位置決め部材係止部３６ｃの上端には位置決め部材係止部３６ｃの下方への回転を規制する回転規制部３６ｅが形成されている。
【００３５】
前記取出ロール支持ケース２２の左端部には、前後方向（Ｘ軸方向）に延びる取出ロール軸３７が回転可能に支持されている。図３、図５において、前記取出ロール軸３７の後端部には、前記回転伝達ギア列Ｇ２に噛合う取出ロールギアＧ３が支持されており、取出ロールギアＧ３の前方にはシート前端位置決め部材３８が取出ロール軸３７に回転可能に支持されている。前記取出ロール軸３７の前端部には、フィードロール装着部材２３と同様に構成された取出ロール装着部材３９が支持されており、取出ロール装着部材３９にはフィードロール２４と同様に構成された取出ロール４１が装着される。
【００３６】
図２、図３、図５において、前記シート前端位置決め部材３８は円筒部３８ａと、前記円筒部３８ａの外周面から突出して形成されたストッパ被係合部３８ｂと、前記ストッパ被係合部３８ｂとは反対側の外周面に形成されたシート前端当接部３８ｃとを有する。前記ストッパ被係合部３８ｂは、前記係止爪３６ｄに係合可能に構成されている。給紙を実行しない待機時には、図２に示すように、前記シート前端当接部３８ｃの先端部分は前記位置決め部収容口１ｃを貫通して下方に位置する。シート前端当接部３８ｃに記録シートＳの束の前端が突き当てられると、ストッパ被係合部３８ｂが係止爪３６ｄに係止され、シート前端位置決め部材３８が所定の位置から回転移動できないようにロック（係止）される（図２参照）。この結果、記録シートＳの前端は所定の位置に位置決めされる。
【００３７】
図３、図４において、前記フィードロール２４の下方には、所定の押圧力でフィードロール２４に圧接するリタードロール４２が配置されている。前記リタードロール４２は、フィードロール２４や取出ロール４１と同様に構成されており、リタードロール軸４３に支持されたリタードロール装着部材４４に装着されている。前記リタードロール軸４３には、図示しないトルクリミッタが設けられている。したがって、取出ロール４１により取り出された記録シートＳは、リタードロール４２とフィードロール２４との間の圧接領域に搬送され、圧接領域で記録シートＳが１枚ずつ分離されて下流側に搬送される。
前記フィードロール２４及びリタードロール４２等によりさばきロール（２４＋４２）が構成されている。
【００３８】
（実施例１の作用）
前記構成を備えた実施例１の手差しトレイ（シート搬送装置）ＴＲ０を有する画像形成装置Ｕでは、画像形成動作であるジョブを実行しない通常時は、取出ロール昇降用ソレノイド１０がオフになり、給紙待機位置（図２に示す位置）に保持される。即ち、待機位置保持用バネ１１により、給紙実行位置付勢バネ３３の付勢力に抗して、ケース押圧部８ｄがリンク被押圧部３１を押圧して、取出ロール支持ケース２２に支持された取出ロール４１を上方の給紙待機位置に保持する。
【００３９】
図７は取出ロールが給紙実行位置に移動した状態の説明図である。
図２において、記録シートＳの束がシート前端当接部３８ｃに突き当てられて位置決めされた状態で、ジョブが開始されると、取出ロール昇降用ソレノイド１０がオンになる。図６において、取出ロール昇降用ソレノイド１０がオンになると、伸縮ロッド１０ａがソレノイド内部に引き込まれる。伸縮ロッド１０ａの作動に伴って、取出ロール昇降用リンク８は、待機位置保持用バネ１１の力に抗して回転中心８ａを中心に回転する。この結果、ケース押圧部８ｄがリンク被押圧部３１から離れる方向に移動し、給紙実行位置付勢バネ３３の付勢力により取出ロール支持ケース２２がシャフト２１を中心に回転して、取出ロール４１が給紙実行位置（図７に示す位置）に移動する。給紙実行位置に移動した取出ロール４１は、給紙実行位置付勢バネ３３により所定の押圧力で記録シートＳの束を押圧する。
【００４０】
図８は取出ロールが給紙実行位置に移動した状態でシート前端位置決め部材のロックが解除された状態の説明図である。
伸縮ロッド１０ａの作動に伴って取出ロール昇降用リンク８が回転し、ケース押圧部８ｄがリンク被押圧部３１から離れる方向に移動すると、ロック解除用リンク９が回転中心９ａを中心に回転してストッパ係合部９ｅが被係合部３６ｂに近づく。前記取出ロール４１が給紙実行位置に移動した状態では、図７に示すようにストッパ係合部９ｅが被係合部３６ｂに近接する。その後、伸縮ロッド１０ａが完全に引き込まれると、ロック解除用リンク９の回転によりストッパ係合部９ｅが被係合部３６ｂを右方に押圧し、ストッパ３６が回転中心３６ａを中心に回転する。この結果、図８に示すように、ストッパ被係合部３８ｂと係止爪３６ｄとの係合（ロック）が解除され、シート位置決め部材３８は回転移動可能な状態になる。このとき、記録シートＳの束は、取出ロール４１により所定の押圧力で押さえ付けられているので、記録シートＳの前端の位置がずれることが抑えられる。
【００４１】
図９は取り出しロールで記録シートの給紙を行っている状態の説明図である。
図９において、シート位置決め部材３８のロックが解除された状態で、取出ロール４１が回転駆動すると、最上面の記録シートＳが搬送される。このとき、シート位置決め部材３８は回転移動可能な状態なので、記録シートＳの前端の移動に伴って回転でき、記録シートＳの給紙の妨げとならない。ジョブ実行中は、タイマーにより所定の時間給紙実行位置に保持された後、前記取出ロール昇降用ソレノイド１０がオフになって給紙待機位置に移動する。そして、次の給紙タイミングで、取出ロール昇降用ソレノイド１０がオンになり、給紙実行位置に移動する。ジョブが終了すると、取出ロール昇降用ソレノイド１０がオフになり、待機位置保持用バネ１１やねじりバネ１６、各部材の自重等により、図２に示す給紙待機位置に戻る。
【産業上の利用可能性】
【００４２】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）本発明は、複写機に限定されず、プリンタ、ＦＡＸ、複合機等の画像形成装置に適用可能である。また、カラーの画像形成装置に限定されず、モノクロの画像形成装置にも適用可能である。さらに、電子写真方式の画像形成装置に限定されず、インクジェット記録方式等の他の記録方式の画像形成装置に適用可能である。
【００４３】
（Ｈ02）前記実施例において、シート搬送装置として手差しトレイＴＲ０を例示したが、手差しトレイに限定されず、自動原稿搬送装置Ｕ２や記録シートが傾斜して収容される給紙トレイに適用可能である。
（Ｈ03）前記実施例において、取出ロール昇降用ソレノイド１０のオン・オフにより、取出ロール４１の昇降とシート前端位置決め部材３８のロックの解除とを行ったが、取出ロール４１昇降用の駆動源（ソレノイドやモータ等）と、シート前端位置決め部材３８のロック解除用の駆動源を別個の駆動源にすることも可能である。例えば、取出ロール昇降用リンク８を作動させるソレノイドと、ロック解除用リンク９を作動させるソレノイドをそれぞれ設けることも可能である。
【００４４】
（Ｈ04）前記実施例において、フィードロール２４及びリタードロール４２を有するさばきロールを使用したが、リタードロール４２に替えてリタードパッドを使用したり、さばきロールを省略することも可能である。
（Ｈ05）本発明は、記録シートの前端が下方に傾斜した状態で収容される給紙トレイ以外の給紙トレイにも適用可能である。
【図面の簡単な説明】
【００４５】
【図１】図１は本発明の実施例の画像形成装置の全体説明図である。
【図２】図２は実施例１の手差しトレイの給紙装置部分の要部拡大説明図であり、取出ロールが給紙待機位置に保持された状態の説明図である。
【図３】図３は実施例１の手差しトレイの給紙装置部分を下方から見た要部拡大斜視図である。
【図４】図４は実施例１の手差しトレイの給紙装置部分を斜め上方からみた要部斜視説明図である。
【図５】図５はさばきロールやガイド部材を省略した給紙装置部分の斜視説明図である。
【図６】図６は図５の矢印ＶＩ方向から見た図である。
【図７】図７は取出ロールが給紙実行位置に移動した状態の説明図である。
【図８】図８は取出ロールが給紙実行位置に移動した状態でシート前端位置決め部材のロックが解除された状態の説明図である。
【図９】図９は取り出しロールで記録シートの給紙を行っている状態の説明図である。
【符号の説明】
【００４６】
１…給紙トレイ、
９ｅ…ストッパ係合部、
１０…ソレノイド、
１０＋１７…ストッパ係合解除部材、
１７…リンク機構、
３６…ストッパ、
３８…シート前端位置決め部材、
４１…取出ロール、
Ｓ…記録シート、
ＴＲ０…シート搬送装置。
【図１】
2006027798.tif 000003
【図２】
2006027798.tif 000004
【図３】
2006027798.tif 000005
【図４】
2006027798.tif 000006
【図５】
2006027798.tif 000007
【図６】
2006027798.tif 000008
【図７】
2006027798.tif 000009
【図８】
2006027798.tif 000010
【図９】
2006027798.tif 000011